(57)【要約】【課題】動画データの切り換わりを検出することで、確実にシームレス接続された動画データの連続再生を実現する。【解決手段】再生の指示により記憶部１０５に保存された動画データを再生し、再生される動画データが複数の部分から構成され、それらを連結して再生する場合、再生部１０３に各動画データを入力する前に、マーカーを入力することにより、再生部１０３からの表示出力が各動画データに遷移するタイミングで制御部１０２に通知を行うことを可能とし、これにより制御部１０２での表示中の動画データの検出を可能とする。【選択図】      図１
2004328152.tif 000002
【特許請求の範囲】
【請求項１】
少なくとも動画データを複数記憶できる記憶手段と、
複数の前記動画データを連続して入力することにより、各動画データを連続して再生可能な再生手段と、
前記再生手段に前記記憶手段に記録された動画データを入力して再生する制御手段と、
前記再生手段へ動画データを入力する時に、前記制御手段から前記再生手段に動画データの切り換わり位置を通知する通知手段と、
前記再生手段での再生時、前記通知手段から通知された動画データの切り換わり位置で、前記制御手段へ再生する動画データの遷移を通知する遷移通知手段と、
前記遷移通知手段からの通知を用いて表示される動画データの遷移を管理する管理手段とを具備したことを特徴とする再生装置。
【請求項２】
少なくとも動画データを複数記憶できる記憶手段と、
複数の動画データを連続して入力することにより、各動画データを連続して再生可能な再生手段と、
前記再生手段に前記記憶手段に記録された動画データを入力して再生する制御手段と、
前記再生手段へ動画データを入力する時に、前記制御手段から前記再生手段に動画データの切り換わり位置を通知するとともに、以降の動画データに関連付ける識別情報を再生手段に通知する通知手段と、
前記制御手段から前記再生手段への動画データに関連する情報の取得要求時や前記再生手段から前記制御手段への動画データに関連する情報の通知時に、前記再生手段にて対象となる動画データに関連付けられた識別情報を付加して応答・通知する応答通知手段と、
前記応答通知手段の応答・通知に含まれる識別情報を用いて取得された情報の対象となる動画データを管理する管理手段とを具備したことを特徴とする再生装置。
【請求項３】
少なくとも動画データを複数記憶できる記憶手段と、
複数の動画データを連続して入力することにより、各動画データを連続して再生可能な再生手段と、
前記再生手段に前記記憶手段に記録された動画データを入力して再生する制御手段と、
前記再生手段へ動画データを入力する時に、前記制御手段から前記再生手段に動画データの切り換わり位置を通知する通知手段と、
前記通知手段から通知された位置以降の動画データに関連付ける識別情報を、少なくとも隣接する識別情報とは異なる内容となるよう生成し、前記制御手段から前記再生手段への動画データに関連する情報の取得要求時や前記再生手段から前記制御手段への動画データに関連する情報の通知時に、前記再生手段にて対象となる動画データに関連付けられた識別情報を付加して応答・通知する応答通知手段と、
前記応答通知手段の応答に含まれる識別情報を用いて取得された情報の対象となる動画データの遷移を管理する管理手段とを具備することを特徴とする再生装置。
【請求項４】
外部制御部により入力される動画データのデコードを行い得られた映像データを出力する再生手段と、
前記複数の動画データを連続して再生する際に、前記外部制御部から、入力される動画データの切り換わり位置の通知を受け取る受取手段と、
前記再生手段で各々の動画データをデコードして得られる映像データの出力後、次の動画データの映像データを出力するタイミングで、映像データの切り換わり位置を前記外部制御部に通知する切り換わり通知手段とを具備したことを特徴とする再生装置。
【請求項５】
外部制御部により入力される動画データのデコードを行い得られた映像データを出力する再生手段と、
複数の前記動画データを連続して再生する際に、前記外部制御部から動画データの切り換わり位置の通知とともに以降の動画データに関連付ける識別情報を受け取る受取手段と、
前記外部制御部による再生により得られる各種情報の取得要求時または前記再生手段からの各種情報の前記外部制御部への通知時に、再生中の動画データに関連付けられた識別情報を付加して応答・通知する応答・通知手段とを具備したことを特徴とする再生装置。
【請求項６】
外部制御部により入力される動画データのデコードを行い得られた映像データを出力する再生手段と、
複数の前記動画データを連続して再生する際に、前記外部制御部から動画データの切り換わり位置の通知を受け取る受取手段と、
前記受取手段に通知された位置以降の動画データに関連付ける識別情報を、少なくとも隣接する識別情報とは異なる内容となるよう生成し、前記外部制御部からの再生により得られる各種情報の取得要求時や前記再生手段からの各種情報の前記外部制御部への通知時、関連付けられた識別情報を付加して応答・通知する応答・通知手段とを具備し、前記外部制御部による動画データおよび取得された情報の対応を管理可能とさせる再生装置。
【請求項７】
複数の動画データをシームレスに接続して連続再生する再生部から再生に付随して取得される情報が、前記複数の動画データの何番目に対応するかを検出する再生位置検出方法において、
前記複数の動画データをそれぞれ前記再生部に入力する前に、続いて入力される動画データに対応し、動画データ毎に異なる識別情報を付加したマーカー情報を挿入し、前記再生部から再生情報を取得する際に、再生情報とともに対応する前記識別情報を取得し、取得された再生情報が動画データの何番目に対応するかを検出することを特徴とする再生位置検出方法。
【発明の詳細な説明】
【０００１】
【発明の属する技術分野】
この発明は、複数の動画データの連続再生時の再生位置を検出する再生装置および再生位置通知方法に関する。
【０００２】
【従来の技術】
従来動画データを再生する再生装置では、複数の動画データを連続してシームレスに再生する際、前の動画の再生処理後、再生処理を停止することなく、同一の再生処理工程の中で、連続して次の動画の再生処理を続ける動作を行っている。そして、現在再生中の位置の管理は、ＭＰＥＧ（Ｍｏｖｉｎｇ  Ｐｉｃｔｕｒｅ  Ｅｘｐｅｒｔｓ  Ｇｒｏｕｐ）では、例えばＰＴＭ（Ｐｒｅｓｅｎｔａｔｉｏｎ  Ｔｉｍｅ  Ｓｔａｍｐ）が使用され、動画データの切り替わりは、取得されたＰＴＭの値と、あらかじめ登録されていた各動画データが持つＰＴＭの範囲情報を比較し、その範囲を過ぎたか否かにより、管理していた。（例えば、特許文献１）
【０００３】
【特許文献１】
特開２００２−１５８９７４公報（第３３頁、図１０７）
【０００４】
【発明が解決しようとする課題】
上記した特許文献１の技術は、ディスクの汚損等により動画データが欠落した場合、想定していたＰＴＭ範囲と実際に再生されるＰＴＭ範囲に相違が発生し、動画データの切り換わりの検出に失敗することがあった。また、動画データの再生される時間の長さが非常に短い場合、制御部での再生位置の検査間隔がそれに比べ長くなってしまった場合に、同じように切り換わりの検出に失敗することがあった。
【０００５】
このように、動画データの切り換わりの検出に失敗すると、再生部では次の動画データを再生しているにも拘わらず、再生装置の制御部では、前の動画データを再生していると認識してしまう問題が発生する。この状態では、再生装置の表示する再生開始時点からの経過時間の計算で、前の動画データの再生範囲の時間以上に経過時間が進まなくなり、編集操作においてユーザは後続の動画データ部分からシーンを切り出したにも拘わらず、制御部が前の動画データを再生していると認識していることから、前の動画データ部分から制御部がシーンを切り出してくるというような問題があった。
【０００６】
この発明の目的は、動画データの切り換わりを確実に検出するとともに、取得された情報と動画データの対応付けを確実なものとする再生装置および再生位置通知方法を提供することにある。
【０００７】
【課題を解決するための手段】
上記した課題を解決するために、請求項１の記載にかかる再生装置は、少なくとも動画データを複数記憶できる記憶手段と、複数の前記動画データを連続して入力することにより、各動画データを連続して再生可能な再生手段と、前記再生手段に前記記憶手段に記録された動画データを入力して再生する制御手段と、前記再生手段へ動画データを入力する時に、前記制御手段から前記再生手段に動画データの切り換わり位置を通知する通知手段と、前記再生手段での再生時、前記通知手段から通知された動画データの切り換わり位置で、前記制御手段へ再生する動画データの遷移を通知する遷移通知手段と、前記遷移通知手段からの通知を用いて表示される動画データの遷移を管理する管理手段とを具備したことを特徴とする。
【０００８】
請求項２の記載にかかる再生装置は、少なくとも動画データを複数記憶できる記憶手段と、複数の動画データを連続して入力することにより、各動画データを連続して再生可能な再生手段と、前記再生手段に前記記憶手段に記録された動画データを入力して再生する制御手段と、前記再生手段へ動画データを入力する時に、前記制御手段から前記再生手段に動画データの切り換わり位置を通知するとともに、以降の動画データに関連付ける識別情報を再生手段に通知する通知手段と、前記制御手段からの動画データに関連する情報の取得要求時や前記再生手段から前記制御手段への動画データに関連する情報の通知時に、対象となる動画データに関連付けられた識別情報を付加して応答・通知する応答通知手段と、前記応答通知手段の応答・通知に含まれる識別情報を用いて取得された情報の対象となる動画データを管理する管理手段とを具備したことを特徴とする。
【０００９】
請求項３の記載にかかる再生装置は、少なくとも動画データを複数記憶できる記憶手段と、複数の動画データを連続して入力することにより、各動画データを連続して再生可能な再生手段と、前記再生手段に前記記憶手段に記録された動画データを入力して再生する制御手段と、前記再生手段へ動画データを入力する時に、前記制御手段から前記再生手段に動画データの切り換わり位置を通知する通知手段と、前記通知手段から通知された位置以降の動画データに関連付ける識別情報を、少なくとも隣接する識別情報とは異なる内容となるよう生成し、前記制御手段からの動画データに関連する情報の取得要求時や前記再生手段から前記制御手段への動画データに関連する情報の通知時に、対象となる動画データに関連付けられた識別情報を付加して応答・通知する応答通知手段と、前記応答通知手段の応答に含まれる識別情報を用いて取得された情報の対象となる動画データの遷移を管理する管理手段とを具備することを特徴とする。
【００１０】
請求項４の記載にかかる再生装置は、外部制御部により入力される動画データのデコードを行い得られた映像データを出力する再生手段と、複数の前記動画データを連続して再生する際に、前記外部制御部から動画データの切り換わり位置の通知を受け取る受取手段と、前記再生手段で各々の動画データをデコードして得られる映像データの出力後、次の動画データの映像データを出力するタイミングで、映像データの切り換わり位置を前記外部制御部に通知する切り換わり通知手段とを具備したことを特徴とする。
【００１１】
請求項５の記載にかかる再生装置は、外部制御部により入力される動画データのデコードを行い得られた映像データを出力する再生手段と、複数の前記動画データを連続して再生する際に、前記外部制御部から動画データの切り換わり位置の通知とともに以降の動画データに関連付ける識別情報を受け取る受取手段と、前記外部制御部から再生により得られる各種情報の取得要求時または前記再生手段からの各種情報の前記外部制御部への通知時に、関連付けられた識別情報を付加して応答・通知する対応通知手段とを具備したことを特徴とする。
【００１２】
請求項６の記載にかかる再生装置は、外部制御部により入力される動画データのデコードを行い得られた映像データを出力する再生手段と、複数の前記動画データを連続して再生する際に、前記外部制御部から動画データの切り換わり位置の通知を受け取る受取手段と、前記受取手段に通知された位置以降の動画データに関連付ける識別情報を、少なくとも隣接する識別情報とは異なる内容となるよう生成し、前記外部制御部からの再生により得られる各種情報の取得要求時や前記再生手段からの各種情報の前記外部制御部への通知時、関連付けられた識別情報を付加して応答・通知する対応通知手段とを具備し、前記外部制御部による動画データおよび取得された情報の対応を管理可能とさせる。
【００１３】
請求項７の記載にかかる再生位置検出方法は、複数の動画データをシームレスに接続して連続再生する再生部から再生に付随して取得される情報が、前記複数の動画データの何番目であるかを検出する再生位置検出方法において、前記複数の動画データをそれぞれ前記再生部に入力する前に、続いて入力される動画データに対応し、動画データ毎に異なる識別情報を付加したマーカー情報を挿入し、前記再生部から再生情報を取得する際に、再生情報とともに対応する前記識別情報を取得し、取得された再生情報が動画データの何番目に対応するかを検出することを特徴とする。
【００１４】
【発明の実施の形態】
以下、この発明の実施の形態について、図面を参照しながら詳細に説明する。図１は、この発明の再生装置の一実施の形態について説明するためのブロック図である。
図１において、入力部１０１はユーザからの入力を監視し、再生の開始・停止等の操作を取得する。制御部１０２は、入力部１０１から得られるユーザの指示に従い再生・ＧＵＩ（Ｇｒａｐｈｉｃａｌ  Ｕｓｅｒ  Ｉｎｔｅｒｆａｃｅ）画面の制御を行う。記憶部１０５は、動画データおよびこの動画データの管理情報が保存される。管理情報には、動画データが連結して再生可能な場合の再生順や各動画データにより再生される映像出力の開始と終了の位置情報であるＰＴＭが含まれる。再生部１０３は、制御部１０２の指示により記憶部１０５から取得される動画データを再生し、得られた映像出力を出力部１０４に出力する。また、再生部１０３は、記憶部１０５からの動画データのほか、制御部１０２により作成されるマーカー情報を動画データとの順序関係を保持した状態で入力できる。出力部１０４は、再生部１０３から入力される映像の表示と、制御部１０２からの指示によって作成されるＧＵＩの表示を行う。
【００１５】
図２は、この実施の形態における動画データおよびマーカーを再生部に入力する手順について説明するための概念図である。
記憶部１０５に動画データＡと動画データＢの２つの動画データが保持されており、管理情報からこれら２つの動画データがＡ，Ｂの順で連結して再生が可能なことが分かった場合、制御部１０２は、まずマーカー情報を作成し、再生部１０３に入力する。その後、動画データＡを記憶部１０５から再生部１０３に入力する。動画データＡを再生部１０３に入力した後、再びマーカー情報を作成し、再生部１０３に入力し、その後、動画データＢを記憶部１０５から再生部１０３に入力する。
【００１６】
次に、図１の構成の再生装置における動画データの連続再生時に各動画データの先頭にマーカーを挿入する処理について、図３のフローチャートを参照して説明する。
【００１７】
再生開始コマンドが入力部１０１に入力されると、制御部１０２は再生対象となる動画データの管理情報を記憶部１０５から取得し、これにより動画データの再生順を決定する。
【００１８】
ステップＳ１０１において、再生する動画データの数を変数ｎｕｍに保存し、現在再生中の動画データが何番目のものであるかを保存する変数ｎｏｗを初期化し、ステップＳ１０２に移行する。ここでは０を先頭の動画データの番号とする。
【００１９】
ステップＳ１０２では、制御部１０２がマーカー情報を作成し、これを再生部１０３に入力し、ステップＳ１０３に移行する。
ステップＳ１０３では、ｎｏｗ番目の動画データを記憶部１０５から再生部１０３に入力し、ステップＳ１０４に移行する。ここでは、ｎｏｗが０であることから、一番初めの動画データを入力する。
【００２０】
ステップＳ１０４では、ｎｏｗの値に１を加算し、ステップＳ１０５に移行する。
ステップＳ１０５では、ｎｕｍとｎｏｗを比較し、まだ再生部１０３に入力していない動画データがあればステップＳ１０２に移行し、そうでなければステップＳ１０６に移行する。
【００２１】
ステップＳ１０６では、必要な動画データをすべて再生部１０３に入力し終えていることから入力処理を終了する。
このような処理を行うことにより、制御部１０２は再生部１０３に動画データの区切りを指定することができ、これにより再生部１０３は各動画データの再生出力開始時に制御部１０２に通知を行うことが可能となる。この通知は、制御部１０２により再生部１０３に対して設定されるコールバック関数を実行することにより行われるものとする。
【００２２】
次に、上記制御により再生部１０３から通知される動画データ切り換わりの情報を元に、再生開始からの経過時間をＧＵＩに表示する処理について、図４のフローチャートを参照して説明する。図４（ａ）は処理本体を表し、（ｂ）は再生部１０３にコールバック関数として登録される関数の処理を表す。
【００２３】
先ず、ステップＳ２０１において、再生部１０３からきた通知の通算数をカウントする変数ＩＤを初期化し、ステップＳ２０２に移行する。
ステップＳ２０２では、再生部１０３からの通知を受けるためのコールバック関数を再生部１０３に登録し、ステップＳ２０３に移行する。
ステップＳ２０２により登録されるコールバック関数は、図４（ｂ）の処理を行う。
ステップＳ２２０において、ステップＳ２０１により初期化された変数ＩＤに１を加算し、通知がきたことが図４（ａ）の処理で判別できるようにし、ステップＳ２２１に移行する。
【００２４】
ステップＳ２２１では、コールバックの処理を終了する。
以下、再び図４（ａ）の処理に戻って説明する。
ステップＳ２０３では、現在のＩＤをｔｍｐ（ｔｅｍｐｏｒａｒｙ）＿ＩＤに保存し、ステップＳ２０４に移行する。
ステップＳ２０４では、現在再生中の動画データ内の位置情報であるＰＴＭを再生部１０３から取得し、記憶部１０５に保存された管理情報にあるＩＤに対応する動画データの開始ＰＴＭとの差からこの動画データ内での経過時間を計算してｐｏｓ（Ｐｏｓｉｔｉｏｎ）に保存し、ステップＳ２０５に移行する。
【００２５】
ステップＳ２０５では、現在のＩＤの値と、ｔｍｐ＿ＩＤの値を比較し、同じであればステップＳ２０６に移行し、異なればステップＳ２０３に移行する。
これにより、ステップＳ２０３の処理からステップ２０５の処理の間でコールバックが実行されていないかの確認を行っている。コールバックが実行されていれば、ＩＤの値が加算されており、ｔｍｐ＿ＩＤと値が異なる。ステップＳ２０３とステップＳ２０５の間でコールバックが発生していた場合、ステップＳ２０４で取得した位置情報が、前の動画データによるものか、後の動画データによるものか判別できない。そのため、後の動画データによるものであることを確定するため、再びステップＳ２０３からの処理を繰り返す。
【００２６】
ステップＳ２０６では、変数ｔｏｔａｌに、既に再生の終了した動画データの再生時間の和を保存し、ステップＳ２０７に移行する。図３の処理では、先頭の動画データの前にもマーカーがあり、先頭の動画データの再生中のＩＤは１であることから、１からＩＤ−１番目までの動画データの長さを加算することになる。図３の処理では先頭の動画データを０としていたが、ここでは値がずれる。
【００２７】
ステップＳ２０７では、ｐｏｓの値をｔｏｔａｌに加算し、ステップＳ２０８に移行する。この処理により、ｔｏｔａｌには初めに再生された動画データからここまでの経過時間が保存されていることになる。
【００２８】
ステップＳ２０８では、制御部１０２が出力部１０４を操作し、ＧＵＩでｔｏｔａｌに保存された経過時間を表示し、ステップＳ２０９に移行する。
ステップＳ２０９では、再生が終了しているか検査し、終了していればステップＳ２１０に移行し、再生中であれば、ステップＳ２０３に移行する。再生終了の検査方法としては、再生部１０３の状態をチェックし、再生処理が終了していれば動画の再生が終了したことなどが考えられる。
【００２９】
ステップＳ２１０では再生処理を終了する。
この実施の形態では、先頭の動画データの前にもマーカーを入れていたが、先頭の動画データではマーカーを先に入れなくとも良い。この場合、各動画データに対応するＩＤの値が１小さいものとなる。
【００３０】
次に、再生部１０３へ各動画データを入力する前に、動画データ毎に異なるＩＤを付加したマーカー情報を挿入し、再生部１０３から動画データの再生により得られる各種情報を取得する際に、各種情報とともにこのＩＤを取得することにより、対応する動画データの特定を確実なものとする、この発明の再生位置通知方法の一実施の形態について説明する。
【００３１】
ブロック図は、図１と同じ構成となる。ただし、再生部１０３は、ＩＤデータを含むマーカーを入力可能であり、マーカーからＩＤを取得すると、以後入力される動画データの再生において、制御部１０２から各種情報の取得が行われると、情報のほかに、このＩＤを返す機能を持つ。ここでは、情報として、再生しているフレームのＰＴＭを位置情報として取得する場合を例に取る。
【００３２】
図１の再生装置において、動画データの連続再生時に各動画データの先頭にＩＤを含むマーカーを挿入する処理について、図５のフローチャートを参照して説明する。
【００３３】
再生開始コマンドが入力部１０１に入力されると、制御部１０２は再生対象となる動画データの管理情報を記憶部１０３から取得し、これにより動画データの再生順を決定する。
【００３４】
ステップＳ３０１では、再生する動画データの数を変数ｎｕｍに保存し、現在再生中の動画データが幾つ目のものであるかを保存する変数ｎｏｗを初期化し、ステップＳ３０２に移行する。ここでは０を先頭の動画データの番号とする。
【００３５】
ステップＳ３０２では、制御部１０２がマーカー情報を作成し、これを再生部１０３に入力し、ステップＳ３０３に移行する。この時、マーカー情報の所定の位置に、これから送る動画データに付与するＩＤを付加する。このＩＤは、動画データの遷移が判別できるよう、少なくとも隣り合う動画データでは異なる値をつける。ここでは、ＩＤとして何番目の動画データであるかを付与する。ここで再生部１０３に入力されたＩＤは、再生部１０３により抽出され、以降に続く動画データの再生中に制御部１０２より位置情報を要求された際に、表示中のフレームのＰＴＭとともに制御部１０２に渡される。
【００３６】
ステップＳ３０３では、ｎｏｗ番目の動画データを記憶部１０３から再生部１０３に入力し、ステップＳ３０４に移行する。ここでは、ｎｏｗが０であることから、一番初めの動画データを入力する。
【００３７】
ステップＳ３０４では、ｎｏｗの値に１を加算し、ステップＳ３０５に移行する。
ステップＳ３０５では、ｎｕｍとｎｏｗを比較し、まだ再生部１０３に入力していない動画データがあればステップＳ３０２に移行し、そうでなければステップＳ３０６に移行する。
【００３８】
ステップＳ３０６では、必要な動画データをすべて再生部１０３に入力し終えていることから入力処理を終了する。
次に、上記制御を行うことにより再生部１０３からの位置情報の取得の際に得られるＩＤ付の位置情報を元に、再生開始からの経過時間をＧＵＩに表示する処理について、図６のフローチャートを参照して説明する。
【００３９】
ステップＳ４０１では、再生部から現在再生中の動画データ内での位置情報、ここではＰＴＭ、とマーカーＩＤを取得する。記憶部１０５に保存された管理情報に記憶されている、マーカーＩＤに対応する動画データの開始ＰＴＭと取得したＰＴＭの差からこの動画データ内での経過時間を計算してｐｏｓに保存するとともに、マーカーＩＤを変数ＩＤに保存し、ステップＳ４０２に移行する。
【００４０】
ステップＳ４０２では、変数ｔｏｔａｌに、既に再生の終了した動画データの再生時間の和を保存し、ステップＳ４０３に移行する。図５の処理では、先頭の動画データのマーカーＩＤが０であることから、０からＩＤ−１番目までの動画データの長さを加算することになる。
【００４１】
ステップＳ４０３では、ｐｏｓの値をｔｏｔａｌに加算し、ステップＳ４０４に移行する。この処理により、ｔｏｔａｌにははじめに再生された動画データからここまでの経過時間が保存されていることになる。
【００４２】
ステップＳ４０４では、制御部１０２が出力部１０４を操作し、ＧＵＩでｔｏｔａｌに保存された経過時間を表示し、ステップＳ４０５に移行する。
ステップＳ４０５では、再生が終了しているか検査し、終了していればステップＳ４０６に移行し、再生中であれば、ステップＳ４０１に移行する。再生終了の検査方法としては、再生部１０３の状態をチェックし、再生処理が終了していれば動画の再生が終了したものとする等が考えられる。
【００４３】
ステップＳ４０６では再生処理を終了する。
このような処理を行うことにより、動画データの破損等により管理情報に記憶された終了ＰＴＭに再生が到達しなかったり、特定の動画データがまったく再生できなかったとしても、マーカー情報から再生中の動画データを特定することが可能となる。
【００４４】
この発明は、上記した実施の形態に限定されるものではなく、例えば、マーカーにＩＤを付加せずに、再生部１０３内で、マーカーを見つける毎に自動的に作成され、少なくとも隣接するマーカー間では異なる値をもつように設定されたＩＤを使用するようにしても良い。たとえば、再生部１０３が再生開始してから見つけたマーカーの数をＩＤとして使用することができる。
【００４５】
また、ＩＤをＰＴＭ情報の取得時のみでなく、ＤＶＤ−ＶＲ規格におけるストリーム中のＶＯＢＵ（Ｖｉｄｅｏ  Ｏｂｊｅｃｔ  Ｕｎｉｔ）の先頭にあるＲＤＩ（Ｒｅａｌ−ｔｉｍｅ  Ｄａｔａ  Ｉｎｆｏｒｍａｔｉｏｎ）情報のように、他の再生部を経由して取得できる動画データ依存の情報取得時にも付加し、これら情報と動画データの対応を取るにも適用可能となる。
【００４６】
また、再生部への動画データの切り換わりの通知は、前の動画データを再生部に入力し終わった後、再生部に対する通知用のコマンドを実行することにより与えるようにしても良い。
【００４７】
さらに、動画を対象として説明したが、音声等、その他のシーケンシャルなデータを対象に行うことも可能である。
【００４８】
【発明の効果】
以上説明したように、この発明によれば、表示中のフレームがどの動画データに対応するかを管理することで、表示中のフレームに関連する情報を取得するときに、対応する動画データの特定が可能となる。
【図面の簡単な説明】
【図１】この発明の一実施の形態について説明するためのブロック図。
【図２】この発明の動画データとマーカーを再生部に入力する手順の概念について説明するための説明図。
【図３】この発明の動画データの連続再生時に各動画データの先頭にマーカーを挿入する処理について説明するためのフローチャート。
【図４】この発明の動画データ切り換わりの情報を元に再生開始からの経過時間をＧＵＩに表示する処理について説明するためのフローチャート。
【図５】この発明の動画データの連続再生時に各動画データの先頭にＩＤを含むマーカーを挿入する処理について説明するためのフローチャート。
【図６】この発明の再生開始からの経過時間をＧＵＩに表示する処理について説明するためのフローチャート。
【符号の説明】
１０１…入力部
１０２…制御部
１０３…再生部
１０４…出力部
１０５…記憶部
【図１】
2004328152.tif 000003
【図２】
2004328152.tif 000004
【図３】
2004328152.tif 000005
【図４】
2004328152.tif 000006
【図５】
2004328152.tif 000007
【図６】
2004328152.tif 000008